(57)【特許請求の範囲】
【請求項１】
本体の送風路内に設けられた熱交換器と、前記送風路内に設けられ前記熱交換器により熱交換された風を前記送風路の吹出し口より吹出す送風ファンと、前記吹出し口を構成するひとつの吹出し口構成面に、その吹出し口構成面に対して略平行を保った状態で回動可能に設けられた台座と、前記吹出し口内の前記台座上に、前記吹出し口構成面に対して略垂直な軸を中心に回動可能に設けられた複数の風向偏向羽根とを有し、前記吹出し口構成面に対する台座の回動方向と、前記台座に対する前記風向偏向羽根の回動方向が同じになるように、前記台座および前記風向偏向羽根を回動させる空気調和機の室内ユニット。
【請求項２】
複数の風向偏向羽根を設けた台座を、吹出し口内に複数設けた請求項１記載の空気調和機の室内ユニット。
【請求項３】
台座の回動方向、回動角度、風向偏向羽根の回動方向、回動角度を前記台座毎に設定可能とした請求項２記載の空気調和機の室内ユニット。
【請求項４】
少なくとも隣り合う２つの台座を吹出し口下流側から見て、ハの字状に回動する請求項２記載の空気調和機の室内ユニット。
【請求項５】
吹出し口下流側から見て、ハの字状に回動した台座の外側に位置する台座が、内側に位置する台座と同じ方向に回動する請求項４記載の空気調和機の室内ユニット。
【請求項６】
少なくとも隣り合う２つの台座を吹出し口上流側から見て、ハの字状に回動する請求項２記載の空気調和機の室内ユニット。
【請求項７】
吹出し口上流側から見て、ハの字状に回動した台座の外側に位置する台座が、内側に位置する台座と同じ方向に回動する請求項６記載の空気調和機の室内ユニット。
【発明の詳細な説明】
【０００１】
【発明の属する技術分野】
本発明は空気調和機の室内ユニットに関するものであり、特にその風向偏向装置の構造に特徴を有するものである。
【０００２】
【従来の技術】
従来の空気調和機の室内ユニットにおける風向装置として、特開平１０−２５３１４３号公報に記載されたものが知られている。
【０００３】
図８は従来の空気調和機における室内ユニットの部分垂直断面図である。
【０００４】
図８において、１０１は前面カバー、１０２は前面カバー１０１に設けられた空気の吸い込み口、１０３は熱交換器、１０４は送風ファン、１０５は送風ファン１０４の周囲にあり送風路１０７を形成するリアガイダ、１０６は送風ファン１０４に近接しリアガイダ１０５と送風路１０７を形成するスタビライザ、１０８は送風路１０７の先端にある風の吹き出し口、１０９は吹き出し口１０８における風向きを垂直方向（上下方向）に変化させるために軸を中心に上下に回転する上下羽根、１１０は左右羽根である。
【０００５】
図９は図８の吹き出し口の平面断面図であり、図９において、１０８ａは吹き出し口１０８の端部分、１０８ｂは吹き出し口１０８の中央部分であり、吹き出し口中央部分の左右羽根１１０ｂと吹き出し口の端部分の台座１１１ａに保持された左右羽根１１０ａである。
【０００６】
図８、図９を用いて空気の流れを説明する。室内空気Ｆは、前面カバー１０１に設けられた吸い込み口１０２から吸い込まれ、熱交換器１０３を通過して送風ファン１０４に吸い込まれる。送風ファン１０４に吸い込まれた空気は、送風路１０７を通過して吹き出し口１０８から放出される。
【０００７】
図９に示すように、吹き出し口の両端部分１０８ａに位置する台座１１１ａは通常の水平から逆ハの字に回転し、左右左右羽根１１０ａも併せて逆ハの字に回転すると、吹き出し口の両端部分１０８ａを遮蔽することになり、吹き出し口の中央部分１０８ｂへの送風路を形成することになる。風は吹き出し口の両端部分（遮蔽された部分）１０８ａからは吹き出し難く、吹き出し口の中央部分１１８ｂに収束する。そして、風は、吹き出し口が遮蔽されていなくて送風抵抗が少ない吹き出し口の中央部分に位置する左右羽根１１０ｂの間を通って、吹き出し口の中央部分１０８ａから吹き出される（矢印Ｆ方向）ことになる。
【０００８】
従来は、このように、比較的狭い部屋を想定して、左右羽根１１０だけによる（台座１１１ａは水平）吹き分けや、端部分に関しては台座１１１ａ自体も水平から逆ハの字にのみ回転し、左右羽根１１０ａと併せて逆ハの字で遮蔽することにより、気流を居住空間中央部分に向ける空気調和機の室内ユニットが提供されていた。
【０００９】
【発明が解決しようとする課題】
しかしながら、上記のように、単に左右羽根１１０だけによる（台座１１１ａは水平）吹き分けでは十分に集中した風や分散した風が得られず、また吹き出し口の両端部分１０８ａの台座１１１ａおよび左右羽根１１０ａを逆ハの字に回転させて吹き出し口の両端部分１０８ａを遮蔽することできる風向装置を有する空気調和機の室内ユニットにおいては、中央部分の羽根１１０ｂで十分に遮蔽されないため、中央部分１０８ｂからの漏れにより、居住空間に向けての集中（スポット）の効果が不十分だあった。
【００１０】
さらに、両端部分１０８ａに位置する台座１１１ａおよび羽根１１０ａが単に逆ハの字に回転して吹き出し口の両端部分１０８ａを単に遮蔽するだけでは、内側への吹き出しはある程度確保できても、居住空間前面にわたった広がりのある吹き出し（ワイド）や左右の吹き分けは困難であった。
【００１１】
本発明は上記従来の課題を解決するもので、部屋の大型化（ワイド化）や冷風や温風に対する個人の好みの多様化が進む中で、通常の吹き出しはもとより、騒音値の大きな上昇もなく、風量の低下も比較的少ない状態で、吹き出しの風を人のいる部分（人のいない部分）に集中して到達させたり、風を幅広くに分散して部屋全体に流したり、さらには左右吹き分けを可能にして居住空間の快適性向上を図る空気調和機の室内ユニットを提供することを目的とするものである。
【００１２】
【課題を解決するための手段】
本発明は上記課題を解決し目的を達成するために、本体の送風路内に設けられた熱交換器と、前記送風路内に設けられ前記熱交換器により熱交換された風を前記送風路の吹出し口より吹出す送風ファンと、前記吹出し口を構成するひとつの吹出し口構成面に、その吹出し口構成面に対して略平行を保った状態で回動可能に設けられた台座と、前記吹出し口内の前記台座上に、前記吹出し口構成面に対して略垂直な軸を中心に回動可能に設けられた複数の風向偏向羽根とを有し、前記吹出し口構成面に対する台座の回動方向と、前記台座に対する前記風向偏向羽根の回動方向が同じになるように、前記台座および前記風向偏向羽根を回動させるものである。
【００１３】
吹出し口に回動可能に設けられた台座の回動方向と、その台座上に回動可能に設けられた風向偏向羽根の回動方向を同じとなるように構成することにより、複数ある風向偏向羽根の間にある風の通路を確保しながら、送風ファンから送られてくる風の吹出し方向に対する風向偏向羽根の角度を大きく取れることが可能となる。そのため送風ファンから送られてくる風の吹出し方向を大きく変えることができるとともに、送風抵抗が大きくなるのを抑えることができることにより、風の到達距離を大きくすることができる。
【００１４】
【発明の実施の形態】
請求項１記載の本発明は、本体の送風路内に設けられた熱交換器と、前記送風路内に設けられ前記熱交換器により熱交換された風を前記送風路の吹出し口より吹出す送風ファンと、前記吹出し口を構成するひとつの吹出し口構成面に、その吹出し口構成面に対して略平行を保った状態で回動可能に設けられた台座と、前記吹出し口内の前記台座上に、前記吹出し口構成面に対して略垂直な軸を中心に回動可能に設けられた複数の風向偏向羽根とを有し、前記吹出し口構成面に対する台座の回動方向と、前記台座に対する前記風向偏向羽根の回動方向が同じになるように、前記台座および前記風向偏向羽根を回動させるものである。
【００１５】
吹出し口に回動可能に設けられた台座の回動方向と、その台座上に回動可能に設けられた風向偏向羽根の回動方向を同じとなるように構成することにより、複数ある風向偏向羽根の間にある風の通路を確保しながら、送風ファンから送られてくる風の吹出し方向に対する風向偏向羽根の角度を大きく取れることが可能となる。そのため送風ファンから送られてくる風の吹出し方向を大きく変えることができるとともに、送風抵抗が大きくなるのを抑えることができることにより、風の到達距離を大きくすることができる。
【００１６】
さらに、請求項２記載の本発明は、複数の風向偏向羽根を設けた台座を、吹出し口内に複数設けるものである。
【００１７】
風の吹出し方向を大きく変えることができる風向偏向羽根を設けた台座を吹出し口内に複数設けることにより、吹出し口から吹出し方向を大きく変えることができる複数の風を吹出すことができ、吹出し方向の組合せを選択するうことにより、多様な吹出しパターンを実現することができる。
【００１８】
また、請求項３記載の本発明は、台座の回動方向、回動角度、風向偏向羽根の回動方向、回動角度を前記台座毎に設定可能としたものである。
【００１９】
請求項２記載の構成以上に、吹出し方向の組合せが増えるので、さらに多様な吹出しパターンを実現することができる。
【００２０】
さらに、請求項４記載の本発明は、少なくとも隣り合う２つの台座を吹出し口下流側から見て、ハの字状に回動する構成としたものである。
【００２１】
隣り合う２つの台座を、吹出し口下流側から見てハの字状に回動する構成とすることにより、台座の回動方向と同方向に回動した風向偏向羽根によって、吹出し風は上記２つの台座の中心線に向かって集まる。しかも風向偏向羽根の回動によっても本発明の構成では通風路を塞ぐことなく、送風抵抗が大きくならないため、中心線に向かって集まった風は遠方へ到達する。
【００２２】
また、請求項５記載の本発明は、吹出し口下流側から見て、ハの字状に回動した台座の外側に位置する台座が、内側に位置する台座と同じ方向に回動する構成としたものである。
【００２３】
ハの字状に回動した台座の外側に位置する台座が、内側に位置する台座と同じ方向に回動する構成としたことにより、ハの字状に回動した台座の外側に位置する台座上の風向偏向羽根を通過した吹出し風についても、ハの字状に回動した台座の中心線上に向かって集まるので、集中する風量が多くなる。しかも風向偏向羽根の回動によっても本発明の構成では通風路を塞ぐことなく、送風抵抗が大きくならないため、中心線に向かって集まった風は遠方へ到達する。
【００２４】
また、請求項６記載の本発明は、少なくとも隣り合う２つの台座を吹出し口上流側から見て、ハの字状に回動する構成としたものである。
【００２５】
隣り合う２つの台座を吹出し口上流側から見て、ハの字状に回動する構成とすることにより、台座の回動方向と同方向に回動した風向偏向羽根によって、吹出し風は上記２つの台座の中心線から離れる方向に向かう。しかも風向偏向羽根の回動によっても本発明の構成では通風路を塞ぐことなく、送風抵抗が大きくならないため、中心線から離れる方向に向かった風は遠方へ到達する。
【００２６】
また、請求項７記載の本発明は、吹出し口上流側から見て、ハの字状に回動した台座の外側に位置する台座が、内側に位置する台座と同じ方向に回動する構成としたものである。
【００２７】
ハの字状に回動した台座の外側に位置する台座が、内側に位置する台座と同じ方向に回動する構成としたことにより、ハの字状に回動した台座の外側に位置する台座上の風向偏向羽根を通過した吹出し風についても、ハの字状に回動した台座の中心線から離れる方向に向かう。しかも風向偏向羽根の回動によっても本発明の構成では通風路を塞ぐことなく、送風抵抗が大きくならないため、中心線から離れる方向に向かった風は遠方へ到達する。
（実施の形態１）
図１〜図２は本発明の実施の形態１を示す。図において１は空気調和機の吹出し口を構成する吹出し口構成面で、吹出し口からは、送風ファンによって熱交換器により熱交換された風が吹出される。２は吹出し口構成面１に対して略平行を保った状態で回動可能に設けられ台座であり、回動中心部３を中心として回動する構成となっている。
【００２８】
４はそれぞれ台座２に設けられ、吹出し口構成面１に対して略垂直な軸４ａを中心に回動可能に設けられた風向偏向羽根であり、台座２に対して軸４ａを中心に左右に各々角度αの範囲で回動可能となっている。
【００２９】
図１の場合、台座２は吹出し口構成面１に対して回動していない状態を示しており、送風ファンで送られてきた風５は、風向偏向羽根４が回動できる範囲（左右に各々角度α）で吹出し方向が変化する（風５ａ、５ｂ）。
【００３０】
図２は、台座２が回動中心部３を中心に角度β回動した状態を示し、本実施の形態では、風向偏向羽根４が軸４ａを中心に、台座２の回動方向と同じ方向に角度α回動する。
【００３１】
この構成により、風向偏向羽根４は送風ファンで送られてきた風５の吹出し方向に対して角度（α＋β）回動した状態となり、風５は風向偏向羽根４の働きのみでは得られない、大きな方向変化を起こす（風５ｃ）。
【００３２】
しかも、風向偏向羽根４が風５の吹出し方向に対して角度（α＋β）と大きく回動していても、各風向偏向羽根４の間隔が大きく確保できていることにより、送風抵抗が大きくならず、大きく風向変化して吹出される風５ｃが遠くまで届き、広い居住空間にも有効となる。
【００３３】
図３は、図２に示す本実施の形態との比較図面である。通常、各風向偏向羽根４は、回動角度を同じに保つため、互いに連結部材（図示せず）で連結されている等の構成上の規制により、回動角度に制限がある。図３はその回動角度の制限を除いて風向偏向羽根４が台座２に対して角度（α＋β）回動できる場合を想定して描いた図である。
【００３４】
この場合、図２と同様、風向偏向羽根４は風５の吹出し方向に対して角度（α＋β）回動した状態になり、風５は大きく風向変化する（風５ｄ）。
【００３５】
しかしながら、図３の構成の場合、風向偏向羽根４が大きく回動したことにより、各風向偏向羽根４の間隔が狭くなり送風抵抗が大きくなる。そのため風５は大きく風向変化するが、その吹出された風５ｄは遠くへ届かず、広い居住空間には不都合となる。
（実施の形態２）
図４は、実施の形態１で説明した台座と風向偏向羽根の組合せ構造を２つ設けた場合を示す。
【００３６】
図４に示すように、各台座６、７は吹出し口構成面１に対し、吹出し口下流側Ａからみてハの字状に回動している。そして、各台座６、７に設けられた風向偏向羽根８、９は各台座６、７に対して、各台座６、７の回動方向と同じ方向に回動している。
【００３７】
この状態では、送風ファンで送られてきた風１０ａ、１０ｂは風向偏向羽根８、９により中央に集まり、強い集中風１０ｃとして吹出される。
（実施の形態３）
図５は、各台座６、７を吹出し口構成面１に対し、吹出し口上流側Ｂからみてハの字状に回動させ、かつ風向偏向羽根８、９を各台座６、７の回動方向と同じ方向に回動させた状態を示す。
【００３８】
この状態では、送風ファンで送られてきた風１０ａ、１０ｂは風向偏向羽根８、９により分散され（風１０ｄ、１０ｅ）、居住空間の隅々に風が送られる。
（実施の形態４）
図６は、図４で示した台座６、７の外側にさらに台座１１、１２を設けた構成を示し、各台座１１、１２はその内側に位置し、吹出し口下流側Ａから見て、ハの字状に回動した台座６、７と同じ方向に回動している。さらに、各台座１１、１２に設けられた風向偏向羽根１３、１４は、各台座１１、１２の回動方向と同じ方向に回動している。
【００３９】
この構成により、図４の構成に比較してさらに多くの風１５ａ〜１５ｄを、中央に集中させることができる（風１６）。
（実施の形態５）
図７は、図５で示した台座６、７の外側にさらに台座１１、１２を設けた構成を示し、各台座１１、１２はその内側に位置し、吹出し口上流側Ｂから見て、ハの字状に回動した台座６、７と同じ方向に回動している。さらに、各台座１１、１２に設けられた風向偏向羽根１３、１４は、各台座１１、１２の回動方向と同じ方向に回動している。
【００４０】
この構成により、図５の構成に比較してさらに多くの風１５ａ〜１５ｄを、分散させることができ（風１７ａ〜１７ｄ）、居住空間の隅々にまで風を送る効果を、さらに高めることができる。
【００４１】
なお、本発明では、複数の台座を設けた場合の構成が、上記実施の形態２〜５の構成に限られるものではなく、複数ある台座の回動方向、回動角度、風向偏向羽根の回動方向、回動角度を各台座毎に設定する場合も含み、各台座毎に各設定を変えることによって様々な気流を発生させることができる。
【００４２】
【発明の効果】
以上説明したように、請求項１記載の本発明は、本体の送風路内に設けられた熱交換器と、前記送風路内に設けられ前記熱交換器により熱交換された風を前記送風路の吹出し口より吹出す送風ファンと、前記吹出し口を構成するひとつの吹出し口構成面に、その吹出し口構成面に対して略平行を保った状態で回動可能に設けられた台座と、前記吹出し口内の前記台座上に、前記吹出し口構成面に対して略垂直な軸を中心に回動可能に設けられた複数の風向偏向羽根とを有し、前記吹出し口構成面に対する台座の回動方向と、前記台座に対する前記風向偏向羽根の回動方向が同じになるように、前記台座および前記風向偏向羽根を回動させるものである。
【００４３】
吹出し口に回動可能に設けられた台座の回動方向と、その台座上に回動可能に設けられた風向偏向羽根の回動方向を同じとなるように構成することにより、複数ある風向偏向羽根の間にある風の通路を確保しながら、送風ファンから送られてくる風の吹出し方向に対する風向偏向羽根の角度を大きく取れることが可能となる。そのため送風ファンから送られてくる風の吹出し方向を大きく変えることができるとともに、送風抵抗が大きくなるのを抑えることができることにより、風の到達距離を大きくすることができる。
【００４４】
さらに、請求項２記載の本発明は、複数の風向偏向羽根を設けた台座を、吹出し口内に複数設けるものである。
【００４５】
風の吹出し方向を大きく変えることができる風向偏向羽根を設けた台座を吹出し口内に複数設けることにより、吹出し口から吹出し方向を大きく変えることができる複数の風を吹出すことができ、吹出し方向の組合せを選択するうことにより、多様な吹出しパターンを実現することができる。
【００４６】
また、請求項３記載の本発明は、台座の回動方向、回動角度、風向偏向羽根の回動方向、回動角度を前記台座毎に設定可能としたものである。
【００４７】
請求項２記載の構成以上に、吹出し方向の組合せが増えるので、さらに多様な吹出しパターンを実現することができる。
【００４８】
さらに、請求項４記載の本発明は、少なくとも隣り合う２つの台座を吹出し口下流側から見て、ハの字状に回動する構成としたものである。
【００４９】
隣り合う２つの台座を、吹出し口下流側から見てハの字状に回動する構成とすることにより、台座の回動方向と同方向に回動した風向偏向羽根によって、吹出し風は上記２つの台座の中心線に向かって集まる。しかも風向偏向羽根の回動によっても本発明の構成では通風路を塞ぐことなく、送風抵抗が大きくならないため、中心線に向かって集まった風は遠方へ到達する。
【００５０】
また、請求項５記載の本発明は、吹出し口下流側から見て、ハの字状に回動した台座の外側に位置する台座が、内側に位置する台座と同じ方向に回動する構成としたものである。
【００５１】
ハの字状に回動した台座の外側に位置する台座が、内側に位置する台座と同じ方向に回動する構成としたことにより、ハの字状に回動した台座の外側に位置する台座上の風向偏向羽根を通過した吹出し風についても、ハの字状に回動した台座の中心線上に向かって集まるので、集中する風量が多くなる。しかも風向偏向羽根の回動によっても本発明の構成では通風路を塞ぐことなく、送風抵抗が大きくならないため、中心線に向かって集まった風は遠方へ到達する。
【００５２】
また、請求項６記載の本発明は、少なくとも隣り合う２つの台座を吹出し口上流側から見て、ハの字状に回動する構成としたものである。
【００５３】
隣り合う２つの台座を吹出し口上流側から見て、ハの字状に回動する構成とすることにより、台座の回動方向と同方向に回動した風向偏向羽根によって、吹出し風は上記２つの台座の中心線から離れる方向に向かう。しかも風向偏向羽根の回動によっても本発明の構成では通風路を塞ぐことなく、送風抵抗が大きくならないため、中心線から離れる方向に向かった風は遠方へ到達する。
【００５４】
また、請求項７記載の本発明は、吹出し口上流側から見て、ハの字状に回動した台座の外側に位置する台座が、内側に位置する台座と同じ方向に回動する構成としたものである。
【００５５】
ハの字状に回動した台座の外側に位置する台座が、内側に位置する台座と同じ方向に回動する構成としたことにより、ハの字状に回動した台座の外側に位置する台座上の風向偏向羽根を通過した吹出し風についても、ハの字状に回動した台座の中心線から離れる方向に向かう。しかも風向偏向羽根の回動によっても本発明の構成では通風路を塞ぐことなく、送風抵抗が大きくならないため、中心線から離れる方向に向かった風は遠方へ到達する。
【図面の簡単な説明】
【図１】本発明の実施の形態１を示す風向変更羽根の要部構成図
【図２】本発明の実施の形態１を示す風向変更羽根の要部構成図
【図３】本発明の実施の形態１の作用を説明する比較構成図
【図４】本発明の実施の形態２を示す構成図
【図５】本発明の実施の形態３を示す構成図
【図６】本発明の実施の形態４を示す構成図
【図７】本発明の実施の形態５を示す構成図
【図８】従来の空気調和機を示す断面図
【図９】従来の空気調和機を示す吹出し部の構成図
【符号の説明】
１  吹出し口構成面
２、６、７、１１、１２  台座
４、８、９、１３、１４  風向偏向羽根
４ａ  軸
【図１】
0003763255.tif 000002
【図２】
0003763255.tif 000003
【図３】
0003763255.tif 000004
【図４】
0003763255.tif 000005
【図５】
0003763255.tif 000006
【図６】
0003763255.tif 000007
【図７】
0003763255.tif 000008
【図８】
0003763255.tif 000009
【図９】
0003763255.tif 000010